(57)【要約】  【課題】  簡素化した安価な構成としながらも、外来光の入射に起因する誤動作の発生を確実に防止して磁気テープの終端または始端を正確に検出できる機構を備えた磁気記録再生装置を提供する。  【解決手段】  装填されたテープカセット１の内部から当該テープカセットの両側の各光通過孔４，７にそれぞれ至る投光経路に向けて発光する配置で設けられた発光素子１９，２０と、装填されたテープカセット１の両側の光通過孔４，７に対し外側で近接して相対向する配置で設けられた一対の反射ミラー１７，１８と、発光素子１９，２０の発光が反射ミラー１７，１８で反射したのち光通過孔４，７からテープカセット１内部の受光経路Ｌｃ，Ｌｄを通ってキタ反射光を受光する配置で設けられた受光素子２１，２２とを備えている。【選択図】    図１
2006155808.tif 000002
【特許請求の範囲】
【請求項１】
始端部および終端部にそれぞれ透光リーダーテープ部が設けられた磁気テープがカセットケース内に収容されてなるテープカセットが着脱自在に装填され、発光素子の発光が前記透光リーダーテープ部を透過して受光素子に受光されることによって前記始端部または終端部を検出する磁気記録再生装置において、
装填される前記テープカセットの嵌合筒部に嵌入するランプユニットと、
装填された前記テープカセットの始端側および終端側の各光通過孔に対しそれぞれ外側で近接して相対向する配置で設けられた一対の反射ミラーとを有し、
前記ランプユニットは、
前記始端側および終端側の各光通過孔を介して前記反射ミラーに発光を投射する配置で取り付けられた始端検出用および終端検出用の一対の発光素子と、
前記反射ミラーで反射したのち前記始端側および終端側の各光通過孔を通ってきた反射光を受光できる配置で取り付けられた始端検出用および終端検出用の一対の受光素子と、  並置された二組の前記発光素子と受光素子との間に介設されて前記発光素子の発光が前記受光素子に直接受光されるのを防止する遮蔽部とを備えていることを特徴とする磁気記録再生装置。
【請求項２】
始端部および終端部に透光リーダーテープ部が設けられた磁気テープがカセットケース内に収容されてなるテープカセットが着脱自在に装填され、発光素子の発光が前記透光リーダーテープ部を透過して受光素子に受光されることによって前記始端部または終端部を検出する磁気記録再生装置において、
装填された前記テープカセットの内部から当該テープカセットの始端側および終端側の各光通過孔にそれぞれ至る２つの投光経路に向けて発光する配置で設けられた発光素子と、
装填された前記テープカセットの始端側および終端側の各光通過孔に対しそれぞれ外側で近接して相対向する配置で設けられた一対の反射ミラーと、
前記発光素子の発光が前記反射ミラーで反射したのち前記光通過孔から前記テープカセット内部の受光経路を通ってきた反射光を受光する配置で設けられた受光素子とを備えていることを特徴とする磁気記録再生装置。
【請求項３】
前記テープカセットの装填時に当該テープカセットの嵌合筒部が外周面に嵌合するランプユニットを備え、このランプユニットに、始端側および終端側の前記各光通過孔を介して前記反射ミラーに発光を投射する配置で取り付けられた始端検出用および終端検出用の一対の発光素子と、前記反射ミラーで反射したのち前記始端側および終端側の各光通過孔を通ってきた反射光を受光できる配置で取り付けられた始端検出用および終端検出用の一対の受光素子と、並置された二組の前記発光素子と受光素子との間に介設されて前記発光素子の発光が前記受光素子に直接受光されるのを防止する遮蔽部とが設けられている請求項２に記載の磁気記録再生装置。
【請求項４】
前記テープカセットの装填時に当該テープカセットの嵌合筒部が外周面に嵌合される導光ユニットと、この導光ユニットの基端部に間隙を存して相対向する配置で回路基板に実装されたそれぞれ単一の発光素子および受光素子とを備え、
前記導光ユニットは、投光用導光体と受光用導光体とがこれらの間に光遮蔽部材を介在して一体化されてなり、
前記投光用導光体における前記基端部とは反対側の先端部に、前記発光素子から前記基端部に入射して前記先端部に導かれてきた発光を両側の前記各光通過孔を介して前記反射ミラーに投射する二方向にそれぞれ屈折反射させる二つの反射面が設けられ、
前記受光用導光体における前記基端部とは反対側の先端部に、両側の前記各反射ミラーで反射して対応する前記光通過孔を通ってきた二つの反射光を前記基端部を介して前記受光素子に向けた二方向にそれぞれ屈折反射させる二つの反射面が設けられている請求項２に記載の磁気記録再生装置。
【発明の詳細な説明】
【技術分野】
【０００１】
本発明は、ビデオテープレコーダなどの磁気記録再生装置に関するものであり、さらに詳しくは、走行駆動中のテープカセットを自動的に停止させることを目的として、テープカセットにおける磁気テープの終端または始端を検出するための構造に関するものである。
【背景技術】
【０００２】
通常、家庭用ビデオ装置や業務用ビデオ装置などに一般的に用いられている磁気記録再生装置（ＶＴＲ）には、磁気テープの終端または始端を検出してテープ走行を自動的に停止させることにより、磁気テープの切断を防止する機能を有している。すなわち、テープカセットに収納される磁気テープには、その終端部および始端部にそれぞれ光を透過させることのできる透明リーダーテープ部を設け、この透明リーダーテープ部を光学的検出手段で検出した時点でテープリールの回転駆動を停止させることにより、磁気テープの走行を自動的に停止させるようになっている。
【０００３】
従来の磁気テープの終端部または始端部を検出する機構は、図５に示すように、テープカセット４０におけるカセットケースの両側部に光通過孔４１，４２を設ける一方、テープカセット４０が装填される装置側シャーシ（図示せず）におけるテープカセット４０が装填されたときの供給側テープリール４３と巻き取り側テープリール４４との間に対応する箇所に、上記両光通過孔４１，４２に光軸を合致させた配置で赤外線発光ダイオードなどの発光素子４７，４８を配設するとともに、上記装置側シャーシにおける各光通過光４１，４２にテープカセット４０の外側で対向する位置にフォトトランジスタなどの受光素子４９，５０を配設した構成になっている。
【０００４】
そして、図５の図示状態のように、磁気テープ５１の殆どが巻き取り側テープリール４４に巻き取られた状態になったときには、発光素子４８の発光が磁気テープ５１の終端側透光リーダーテープ部および光通過孔４２を通って受光素子５０に受光される光検出路Ｌ１が形成される。一方、図示とは逆に、磁気テープ５１の殆どが２点鎖線で示すように供給側テープリール４３に巻き取られた状態になったときには、発光素子４７の発光が磁気テープ５１の始端側透光リーダーテープ部および光通過孔４１を通って受光素子４９に受光される光検出路Ｌ２が形成される。また、通常の記録動作または再生動作が行われているときには、磁気テープ５１の終端側または始端側の透光リーダーテープ部以外の部位が各光検出部Ｌ１，Ｌ２を横断しながら磁気テープ５１が走行しているので、両受光素子４９，５０には共に受光されない。したがって、いずれか一方の受光素子４９，５０が受光したときには、磁気テープ５１の始端または終端の検出であると判別して、磁気テープ５１の走行が自動的に停止される。
【０００５】
ところが、図５の磁気テープ５１の終端または始端の検出機構では、テープカセット４０の外側に配置される受光素子４９，５０に、光検出路Ｌ１，Ｌ２を通った透光リーダーテープ部検出用の光の他に、太陽光や室内照明光などの外来光も受光されることがあり、これによって誤動作が発生する不具合がある。そこで、両受光素子４９，５０は、図５に示すように、遮蔽部材５２で被覆することにより外来光の入射を遮断した状態で設置されいる。この遮蔽部材５２は、テープカセット４０の装填に際して支障にならず、且つ受光素子４９，５０が発光素子４７，４８からの発光を確実に受光できるように正確に位置決めして設けなければならず、構成が複雑化するとともに取付作業も容易でないことから、コスト高になる。
【０００６】
また、従来では、受光ヘッドと脚片を備えてプリント配線基板に立設されたホルダにテープエンドセンサを保持し、脚片を収容する筒体の先端前壁に受光ヘッドが臨出する窓孔を開設するとともに、その窓孔に周囲の外来光に対する遮光用の周壁状のフードを設ける構造を備えた磁気記録再生装置も提案されている（例えば、特許文献１参照）。このものは、受光ヘッドの外周をフードで覆うことにより、受光ヘッドの先端の真正面からの光、つまり発光素子から発せられた光のみを検出するように図っているが、構成が極めて複雑化し過ぎているため、かなりのコスト高となる。
【０００７】
上述のような問題を解消するため、図６に示すように、テープカセット４０の外部に、発光素子４７，４８を光通過孔４１，４２に相対向する配置で設けるとともに、セップカセットの内部に、受光素子４９，５０を発光素子４７，４８に相対向する配置で設け、発光素子４７，４８の発光をテープカセット４０内の光検出路Ｌ１，Ｌ２を通して受光素子４９，５０に受光することにより、磁気テープ５１の終端または始端を検出する機構が提案されている（例えば、特許文献２〜４参照）。このように構成された検出機構は、外来光から遮蔽されるテープカセット４０の内部に受光素子４９，５０を配置することにより、光通過孔４１，４２から入って光検出路Ｌ１，Ｌ２を通って受光素子４９，５０に受光される光を発光素子４７，４８の発光のみに制限できるように図ることにより、誤動作の発生を防止するようにしている。
【特許文献１】実開平４−１１１０１９号公報
【特許文献２】特開平４−２３２５１号公報
【特許文献３】実開平２−５０８３３号公報
【特許文献４】特開平５−１８２２９３号公報
【発明の開示】
【発明が解決しようとする課題】
【０００８】
しかしながら、上記特許文献２〜３の検出機構では、太陽光や照明光などの外来光が発光素子４７，４８の真後ろからテープカセット４０の側面に向けて照射した場合に、この外来光が光通過孔４１，４２から入射して光検出路Ｌ１，Ｌ２を通ったのちに受光素子４９，５０に受光されてしまうおそれがある。したがって、装置側シャーシには、これに装填されたテープカセット４０の光通過孔４１，４２に発光素子４７，４８の発光のみを入射させるたその遮蔽構造を設ける必要がある。その遮蔽構造には、テープカセット４０の装填に支障にならず、且つ発光素子４７，４８の発光が装置側シャーシに装填された受光素子４９，５０に確実に受光できるように正確に位置決めして設ける必要がある。
【０００９】
すなわち、光通過孔４１，４２の開口面積を大きく設定して正確な位置決めを若干緩和した場合には、その大きな光通過孔４１，４２からの外来光の入射を遮断するための遮蔽構造に精密さが要求され、一方、外来光の入射を防ぐために光通過孔４１，４２の開口面積を小さく設定した場合には、発光素子４７，４８に対し正確に位置決めした高精度な遮蔽構造が必要となり、何れの遮蔽構造を採用する場合にも、構成が複雑化するとともに取付作業も容易でないことから、コスト高になる。
【００１０】
本発明は、前記従来の課題に鑑みてなされたもので、精密さを要することなく、且つ複雑化を招くことのない構成としながらも、外来光の入射に起因する誤動作の発生を確実に防止して磁気テープ終端または始端を正確に検出できる検出機構を備えた磁気記録再生装置を提供することを目的とするものである。
【課題を解決するための手段】
【００１１】
上記目的を達成するために、請求項１に係る発明の磁気記録再生装置は、始端部および終端部にそれぞれ透光リーダーテープ部が設けられた磁気テープがカセットケース内に収容されてなるテープカセットが着脱自在に装填され、発光素子の発光が前記透光リーダーテープ部を透過して受光素子に受光されることによって前記始端部または終端部を検出する磁気記録再生装置において、装填された前記テープカセットの嵌合筒部に嵌入するランプユニットと、装填された前記テープカセットの始端側および終端側の各光通過孔に対しそれぞれ外側で近接して相対向する配置で設けられた一対の反射ミラーとを有し、前記ランプユニットが、前記始端側および終端側の各光通過孔を介して前記反射ミラーに発光を投射する配置で取り付けられた始端検出用および終端検出用の一対の発光素子と、前記反射ミラーで反射したのちに前記始端側および終端側の各光通過孔を通ってきた反射光を受光できる配置で取り付けられた始端検出用および終端検出用の一対の受光素子と、並置された二組の前記発光素子と受光素子との間に介設されて前記発光素子の発光が前記受光素子に直接受光されるのを防止する遮蔽部とを備えていることを特徴としている。
【００１２】
請求項２に係る発明の磁気記録再生装置は、始端部および終端部にそれぞれ透光リーダーテープ部が設けられた磁気テープがカセットケース内に収容されてなるテープカセットが着脱自在に装填され、発光素子の発光が前記透光リーダーテープ部を透過して受光素子に受光されることによって前記始端部または終端部を検出する磁気記録再生装置において、装填された前記テープカセットの内部から当該テープカセットの始端側および終端側の各光通過孔にそれぞれ至る２つの投光経路に向けて発光する配置で設けられた発光素子と、装填された前記テープカセットの始端側および終端側の光通過孔に対しそれぞれ外側で近接して相対向する配置で設けられた一対の反射ミラーと、前記発光素子の発光が前記反射ミラーで反射したのち前記光通過孔から前記テープカセット内部の受光経路を通ってきた反射光を受光する配置で設けられた受光素子とを備えていることを特徴としている。
【００１３】
請求項３に係る発明の磁気記録再生装置は、請求項２の発明において、前記テープカセットの装填時に当該テープカセットの嵌合筒部が外周面に嵌合するランプユニットを備え、このランプユニットに、始端側および終端側の前記各光通過孔を介して前記反射ミラーに発光を投射する配置で取り付けられた始端検出用および終端検出用の一対の発光素子と、前記反射ミラーで反射したのち前記始端側および終端側の各光通過孔を通ってきた反射光を受光できる配置で取り付けられた始端検出用および終端検出用の一対の受光素子と、並置された二組の前記発光素子と受光素子との間に介設されて前記発光素子の発光が前記受光素子に直接受光されるのを防止する遮蔽部とが設けられている。
【００１４】
請求項４に係る発明の磁気記録再生装置は、請求項２の発明において、前記テープカセットの装填時に当該テープカセットの嵌合筒部が外周面に嵌合される導光ユニットと、この導光ユニットの基端部に間隙を存して相対向する配置で回路基板に実装されたそれぞれ単一の発光素子および受光素子とを備え、前記導光ユニットが、投光用導光体と受光用導光体とがこれらの間に光遮蔽部材を介在して一体化されてなり、前記投光用導光体における前記基端部とは反対側の先端部に、前記発光素子から前記基端部に入射して前記先端部に導かれてきた発光を両側の前記各光通過孔を介して前記反射ミラーに投射する二方向にそれぞれ屈折反射させる二つの反射面が設けられ、前記受光用導光体における前記基端部とは反対側の先端部に、両側の前記各反射ミラーで反射して対応する前記光通過孔を通ってきた二つの反射を前記基端部を介して前記受光素子に向けた二方向にそれぞれ屈折反射させる二つの反射面が設けられている。
【発明の効果】
【００１５】
請求項１の発明では、テープカセットの内部のランプユニットに設けられた発光素子からテープカセット外部の反射ミラーに対し所定の入射角度で入射して反射した光のみがランプユニットに設けられた受光素子に受光されるので、上記所定の入射角度以外の角度で反射ミラーに入射した反射光、例えば反射ミラーとテープカセットのカセットケースとの間隙から反射ミラーに側方から入射した太陽光や照明光などの外来光の反射光は、受光素子に受光される方向に反射されることがない。そのため、この磁気記録再生装置では、受光素子が外来光を受光することに起因する誤動作が発生することがない。また、テープカセットの光通過孔は、これに近接して相対向する反射ミラーによって外来光が側方から殆ど入射できないように閉塞される状態となることから、外来光を遮断するための遮蔽構造を別途設ける必要がなく、しかも、反射ミラーは、光通過孔に対し正確な位置決めを行う必要がないので、容易な作業で取り付けでき、さらに、一対の発光素子と一対の受光素子とは、ランプユニットに一括保持されるので、これらにより、簡素化した安価な構成とすることができる。
【００１６】
請求項２の発明では、テープカセットの内部に設けられた発光素子から投光経路を介してテープカセット外部の反射ミラーに対し所定の入射角度で入射して反射した光のみが受光経路を介してテープカセット内部の受光素子に受光されるので、上記所定の入射角度以外の角度で反射ミラーに入射する太陽光や照明光などの外来光の反射光は、受光素子に受光されることがないため、受光素子が外来光を受光することに起因する誤動作が発生するおそれがない。また、テープカセットの光通過孔は、これに近接して相対向する反射ミラーによって外来光が側方から殆ど入射できないように閉塞される状態となることから、外来光を遮断するための遮蔽構造を別途設ける必要がなく、しかも、反射ミラーは、光通過孔に対し正確な位置決めを行う必要がないので、容易な作業で取り付けできるので、簡単な安価な構成とすることができる。
【００１７】
請求項３の発明では、テープカセットの嵌合筒部にテープカセットの装填時に嵌入するランプユニットに、一対の発光素子と一対の受光素子とを一括保持させることにより、各二つの発光素子と受光素子とを小さなスペースに安定に保持することができる。
【００１８】
請求項４の発明では、共に単一の発光素子と受光素子を設けるだけで磁気テープの終端と始端の両方を支障なく検出することができるとともに、発光素子と受光素子を回路基板に直接的に実装できることから、両素子を回路基板に接続するためのリード線による配線が不要となり、構成を簡素化してコストの低減を図ることができる。
【発明を実施するための最良の形態】
【００１９】
以下、本発明の好ましい実施の形態について、図面を参照しながら詳細に説明する。図１（ａ），（ｂ）は、本発明の第１の実施の形態に係る磁気記録再生装置を示す概略平面図および要部の拡大横断面図であり、図２（ａ），（ｂ）は同上の磁気記録再生装置の概略縦断面図および要部の拡大縦断面図である。先ず、図１において、テープカセット１は、供給側テープリール２および巻き取り側テープリール３にそれぞれ外方側で対向するカセットケースの各適所位置に、光通過孔４，７が穿設されている。供給側テープリール２と巻き取り側テープリール３との間には、ガイドローラ８，９を介して巻き掛けられた磁気テープ１０が各光通過孔４，７の近傍を通るテープ走行路を走行するように設定されている。また、テープカセット１には、図２に示すように、供給側テープリール２と巻き取り側テープリール３との間の中間位置であって、両光通過孔４，７を結ぶ線上の位置に、下方に開口した嵌合筒部１１が形成されている。この嵌合筒部１１は、図１に明示するように、この実施の形態において四角形の横断面形状を有している。
【００２０】
なお、嵌合筒部１１は、上記実施の形態の四角形の横断面形状に限らず、例えば、円形の横断面形状としてもよい。また、嵌合筒部１１の配設位置は、上記実施の形態の両光通過孔４，７を結ぶ線上の位置に限らず、配設し易い任意の位置に設けることができる。
【００２１】
一方、装置側シャーシ１２には、図２（ａ）に示すように、当該シャーシ１２に装填されるテープカセット１を載置させて支持する載置板１３にランプユニット１４立設されている。このランプユニット１４は、テープカセット１が装填されるときに嵌合筒部１１の内部に嵌入する四角形の外形を有しており、下端基部が載置板１３に貫通状態で固定されて立設状態に保持されている。また、装置側シャーシ１２には、テープカセット１が装填されたときに、これの各光通過孔４，６にそれぞれ近接して対向する両側位置に反射ミラー１７，１８が設けられている。さらに、上記ランプユニット１４には、赤外発光ダイオードからなる終端検出用発光素子１９および始端検出用発光素子２０と、フォトトランジスタからなる終端検出用受光素子２１および始端検出用受光素子２２とが、以下に説明する配置で設けられている。
【００２２】
上記ランプユニット１４は、図１（ｂ）に示すように、装填されるテープカセット１における嵌合筒部１１の内部に下方から円滑に嵌まり込む、換言すれば、嵌合筒部１１が上方から被せる状態で円滑に外嵌できるように、四角形の四隅角部が面取りされた横断面形状の外形を有している。このランプユニット１４には、その上端のランプ取付箇所に、上記各素子１９〜２２がそれぞれ上方から落とし込む状態で嵌合して取り付けられる４つの取付溝１４ａ〜１４ｄが凹設されており、この各取付溝１４ａ〜１４ｄの下方部分に、図２に示すように下端の開口まで貫通する導通孔１４ｅが形成されている。このランプユニット１４は、この実施の形態において、耐熱性硬質樹脂による一体成形により形成されている。
【００２３】
上記各取付溝１４ａ〜１４ｄは、図１（ｂ）に示すように、ランプユニット１４に嵌合した嵌合筒部１１に開口されている４つの光窓孔１１ａ〜１１ｄに合致する位置に形成されている。そのうちの２つの取付溝１４ａ，１４ｂは、終端検出用発光素子１９および始端検出用発光素子２０をこれらの投光軸が光窓孔１１ａ，１１ｂを介して光通過孔４，７に延びる配置で保持できる向きに形成され、他の２つの取付溝１４ｃ，１４ｄは、終端検出用受光素子２１および始端検出用発光素子２２をこれらの受光軸が光窓孔１１ｃ，１１ｄを介して光通過孔４，７に延びる配置で保持できる向きに形成されている。この各取付溝１４ａ〜１４ｄに嵌め込み固定された各素子１９〜２２の各端子は、図２に示すように、半田付けされたリード線２３を介して回路基板２４に接続されている。
【００２４】
なお、ランプユニット１４の上端箇所は、図１（ｂ）に示すように、横断面形状が四角形における四隅角部が面取りされた形状とされ、且つその上端箇所の上端角部も、図２（ｂ）に示すように、面取りされた形状になっている。これにより、ランプユニット１４は、テープカセット１が装置側シャーシ１２に装填されるときに、テープカセット１の嵌合筒部１１内に円滑に導入されるようになっている。
【００２５】
つぎに、上記磁気記録再生装置における磁気テープ１０の終端および始端を検出する作用について説明する。セープカセット１が装置側シャーシ１２に装填されるときには、テープカセット１のカセットケースに設けられた嵌合筒部１１内に装置側シャーシ１２のランプユニット１４が嵌入されていき、テープカセット１が載置板１３上に載置されて装置側シャーシ１２に対し図２（ａ）に示す正規の状態に装填されたときには、ランプユニット１４の各取付溝１４ａ〜１４ｄに固定された各発光素子１９，２０および各受光素子２１，２２が嵌合筒部１１の各光窓孔１１ａ〜１１ｄに相対向するように位置決めされることになる。
【００２６】
各発光素子１９，２０は、回路基板２４からリード線２３を通じて給電されることにより発光駆動し、嵌合筒部１１の光窓孔１１ａ，１１ｂからテープカセット１の光通過孔４，７を介して対向する反射ミラー１７，１８に発光軸を向けた図１（ａ）の光検出路Ｌａ，Ｌｂに沿った方向に投光する。このとき、テープカセット１の磁気テープ１０における透光リーダーテープ部以外の箇所が光検出路Ｌａ，Ｌｂを横断している状態では、発光素子１９，２０の発光が磁気テープ１０に遮断されて反射ミラー１７，１８まで到達しないので、各受光素子２１，２２に受光されない。
【００２７】
そして、図１（ａ）に示すように、磁気テープ１０の大部分が巻き取り側テープリール３に巻き取られて終端側透光リーダーテープ部が光検出路Ｌａを横断する状態になったときには、終端検出用発光素子１９の発光のみが光検出路Ｌａを介し終端側透光リーダーテープ部を透過して反射ミラー１７で反射され、その反射光が光検出路Ｌｃを介して終端検出用受光素子２１に受光される。これにより、回路基板２４に設けられている不図示の制御部は、磁気テープ１０の終端であると判別して、テープ走行機構を作動制御して磁気テープ１０の走行を自動的に停止させる。
【００２８】
一方、図１（ａ）に２点鎖線で示すように、磁気テープ１０の大部分が供給側テープリール２に巻き取られて始端側透光リーダーテープ部が光検出路Ｌｂを横断する状態になったときには、始端検出用発光素子２０の発光のみが光検出路Ｌｂを介し始端側透光リーダーテープ部を透過して反射ミラー１８で反射され、その反射光が光検出路Ｌｄを介して始端検出用受光素子２２に受光される。これにより、上記制御部は、磁気テープ１０の始端であると判別して、テープ走行機構を作動制御して磁気テープ１０の走行を自動的に停止させる。
【００２９】
この磁気記録再生装置では、テープカセット１の内部に位置する発光素子１９，２０からテープカセット１外部の反射ミラー１７，１８に対し所定の入射角度で入射して反射した光のみが受光素子２１，２２に受光されて、磁気テープ１０の終端または始端が検出される構成になっている。したがって、上記所定の入射角度以外の角度で反射ミラー１７，１８に入射した反射光は受光素子２１，２２に受光される可能性がない。すなわち、反射ミラー１７，１８とテープカセット１のカセットケースとの間隙に太陽光や照明光などの外来光が側方から入射しても、この外来光が反射ミラー１７，１８によって光検出路Ｌｃ，Ｌｄに向けた方向に反射されるおそれがない。そのため、上記磁気記録再生装置では、受光素子２１，２２が外来光を受光することに起因する誤動作が発生することがない。
【００３０】
また、装置側シャーシ１２に装填されたテープカセット１の光通過孔４，７は、これに相対向する反射ミラー１７，１８によって外来光が側方から殆ど入射できないように閉塞される状態となることから、外来光を遮断するための遮蔽構造を何ら設ける必要がない。すなわち、反射ミラー１７，１８は、光通過孔４，７の開口面積に比べて比較的大きな形状のものを用いて、テープカセット１の装填に支障にならない範囲内で装填されるテープカセット１の光通過孔４，７に可及的に近接する位置に配設することができるので、光通過孔４，７を光が殆ど入射できない状態に容易に閉塞することができる。しかも、従来装置のように発光素子と受光素子とを光検出路を介して正確に相対向させる構成とは異なり、反射ミラー１７，１８は、光通過孔４，７に対し正確な位置決めを行う必要がないので、容易な作業で取り付けできる。
【００３１】
さらに、上記磁気記録再生装置では、各発光素子１９，２０および受光素子２１，２２が、ランプユニット１４の各取付溝１４ａ〜１４ｄの内部にそれぞれ嵌合状態でランプユニット１４に一括して装着されているので、各素子１９〜２２を簡単で安価な構成により安定に一括保持できるとともに、発光素子１９，２０の発光が取付溝１４ａ，１４ｂの内側壁で遮断されて隣接する受光素子２１，２２に受光されることがないので、発光素子１９，２０と受光素子２１，２２とを遮断するための機構を別途設ける必要がない。
【００３２】
図３は本発明の第２の実施の形態に係る磁気記録再生装置の要部を示し、（ａ）は図１（ｂ）に対応する要部の横断面図、（ｂ）は（ａ）のＡ−Ａ線に沿って切断した要部の縦断面図であり、同図において、図１と同一若しくは同等のものには、同一の符号を付して、重複する説明を省略する。この実施の形態が第１の実施の形態と相違するのは、第１の実施の形態のランプユニット１４とは異なるランプユニット２７に各素子１９〜２２を取り付けた構成のみである。
【００３３】
上記ランプユニット２７は、テープカセット１の装填時に嵌合筒部１１の内部に嵌入する四角形の外形を有しており、内部がリード線２３の導通孔２７ｂとなった嵌入筒体部２７ａと、この嵌入筒体部２７ａの上端面に互いに平行に立設された一対の取付板部２７ｃ，２７ｄと、この両取付板部２７ｃ，２７ｄの各々の中間部から直交方向に延出した隔壁板部２７ｅ，２７ｆとを有しており、耐熱性硬質樹脂による一体成形により形成されている。
【００３４】
上記ランプユニット２７は、嵌入筒体部２７ａの四隅の角部分および各隔壁板部２７ｅ，２７ｆの各上端角部が弧状に面取りされて、嵌合筒部１１の内部に円滑に嵌入できるようになっている。両取付板部２７ｃ，２７ｄは、外嵌された嵌合筒部１１の各２つの光窓孔１１ａ〜１１ｄに平行に相対向する配置で設けられ、一組の発光素子１９，２０と受光素子２１，２２が対向るす光窓孔１１ａ〜１１ｄに相対向する配置で取り付けられている。各隔壁板部２７ｅ，２７ｆは、発光素子１９，２０の発光を隣接する受光素子２１，２２に受光されないように遮断する。この実施の形態においても、第１の実施の形態で説明したと全く同様の効果を得ることができ、それに加えて、ランプユニット２７を第１の実施形態のランプユニット１４よりも簡素化した形状として、コストの低減を図れる利点がある。
【００３５】
図４は本発明の第３の実施の形態に係る磁気記録再生装置の要部を示し、（ａ）は図１（ｂ）に対応する要部の横断面図、（ｂ）は（ａ）のＢ−Ｂ線に沿った縦断面図、（ｃ）および（ｄ）は（ｂ）のＣ−Ｃ線およびＤ−Ｄ線にそれぞれ沿った縦断面図であり、同図において、図１と同一若しくは同等のものには、同一の符号を付して、重複する説明を省略する。この実施の形態が第１の実施の形態と相違するのは、第１の実施の形態の嵌合筒部１１に嵌入するランプユニット１４に代えて、嵌合筒部１１に嵌入する導光ユニット２８を設けるとともに、それぞれ単一の発光素子１９および受光素子２１を、図１にも示した回路基板２４に直接的に実装した構成のみである。なお、テープカセット１の嵌合筒部１１は、ランプユニット１４に代えて導光体２８を嵌入させる構成としたことからら、この導光体２８の外形に対応した細長い四角形の横断面形状を有しているが、機能的に第１の実施の形態のものと同様である。
【００３６】
導光ユニット２８は、（ａ），（ｂ）に明示するように、投光用導光体２９と受光用導光体３０とがこれらの間に光遮蔽板３１を介在して一体化されてなり、下方の基端部が装置側シャーシ１２の載置板１３に貫通状態で固定されて立設されている。投光素子１９は投光用導光体２９の下端面に対向した配置で回路基板２４に実装されているとともに、受光用導光体３０は受光用導光体３０の下端面に対向した配置で回路基板２４に実装されている。
【００３７】
（ｃ）に示すように、投光用導光体２９における嵌合筒部１１の光窓孔１１ａ，１１ｂに対向する上端部には、発光素子１９から発せられたのちに投光用導光体２９の内部に入射して鉛直上方に向け導かれてきた光を直交方向の両側の二方向に向け屈折反射させる二つの反射面２９ａ，２９ｂが形成されており、これにより、第１の実施の形態と同様の光検出路Ｌａ，Ｌｂが形成される。また、（ｄ）に示すように、受光用導光体３０における嵌合筒部１１の光窓孔１１ｃ，１１ｄに対向する上端部には、第１の実施の形態で示した反射ミラー１７，１８で反射したのち光検出路Ｌｃ，Ｌｄを通って内部に入射した反射光を直交方向下方、つまり鉛直下方に向け屈折反射させる二つの反射面３０ａ，３０ｂが形成されている。なお、光遮蔽板３１は、（ｂ）に示すように、下端部が両導光体２９，３０よりも延出されて発光素子１９と受光素子２１との間に入り込んでいる。これにより、発光素子１９の発光が受光素子２１に受光されるのを防止している。
【００３８】
この実施の形態では、発光素子１９からの発光が、投光用導光体２９の内部を通って鉛直上方に向け導かれたのち、一対の反射面２９ａ，２９ｂにより互いに逆方向に屈折反射れて嵌合筒部１１の光窓孔１１ａ，１１ｂを通って光検出路Ｌａ，Ｌｂに向け投射される光検出路が形成される。この二方向に投射された光は、磁気テープ１０のいずれか一方の透光リーダーテープ部が光検出路Ｌａ，Ｌｂを横切る走行状態となったときに、その透光リーダーテープ部を透過して光通過孔４，７を介し反射ミラー１７，１８に入射したのち、反射される。その反射光は、光検出路Ｌｃ，Ｌｄおよび光窓孔１１ｃ，１１ｄを通って受光用導光体３０に入射したのち、反射面３０ａ，３０ｂで屈折反射して受光用導光体３０の内部を下端に向けて導かれ、下端面から放出されて受光素子２１に受光される。
【００３９】
この第３の実施の形態においても、第１の実施の形態と同様に、発光素子１９の発光がテープカセット１の内部からテープカセット１の外部の反射ミラー１７，１８に対し所定の入射角度で入射して反射した光のみが受光素子２１に受光されて、磁気テープ１０の終端または始端が検出される構成になっているので、第１の実施の形態で説明したと同様の効果を得ることができ、それに加えて、共に単一の発光素子１９と受光素子２１を設けるだけで磁気テープ１０の終端と始端の両方を支障なく検出することができるとともに、発光素子１９と受光素子２１を回路基板２４に直接的に実装できることから、両素子１９，２３を回路基板２４に接続するためのリード線２３による配線が不要となり、構成を簡素化してコストの低減を図ることができる。
【産業上の利用可能性】
【００４０】
この磁気記録再生装置は、装填されたテープカセットの光通過孔に近接対向して反射ミラーを設けて、テープカセットの内部からテープカセットの外部の反射ミラーに対し所定の入射角度で入射して反射した光のみが受光素子に受光されるようにしたので、精密さを要することなく、且つ複雑化を招くことのない安価な構成としながらも、太陽光や照明光などの外来光の入射に起因する誤動作の発生を確実に防止して磁気テープの終端および始端を正確に検出できる機構を備えたものを提供することができる。
【図面の簡単な説明】
【００４１】
【図１】（ａ），（ｂ）は、本発明の第１の実施の形態に係る磁気記録再生装置を示す概略平面図および要部の拡大横断面図である。
【図２】（ａ），（ｂ）は同上の磁気記録再生装置の概略縦断面図および要部の拡大縦断面図である。
【図３】本発明の第２の実施の形態に係る磁気記録再生装置の要部を示し、（ａ）は要部の横断面図、（ｂ）は（ａ）のＡ−Ａ線に沿って切断した要部の縦断面図。
【図４】本発明の第３の実施の形態に係る磁気記録再生装置の要部を示し、（ａ）は要部の横断面図、（ｂ）は（ａ）のＢ−Ｂ線に沿った縦断面図、（ｃ）および（ｄ）は（ｂ）のＣ−Ｃ線およびＤ−Ｄ線にそれぞれ沿った縦断面図。
【図５】従来の磁気記録再生装置におけるテープの終端または始端の検出機構を示す概略平面図である。
【図６】従来の他の磁気記録再生装置におけるテープの終端または始端を検出機構を示す概略平面図である。
【符号の説明】
【００４２】
１  テープカセット
４  始端側光通過孔
７  終端側光通過孔
１０  磁気テープ
１１  嵌合筒部
１４  ランプユニット
１４ａ〜１４ｄ  取付溝（遮蔽部）
１７，１８  反射ミラー
１９  終端検出用発光素子
２０  始端検出用発光素子
２１  終端検出用受光素子
２２  始端検出用受光素子
２４  回路基板
２７  ランプユニット
１７ｅ，２７ｆ  隔壁板部（遮蔽部）
２８  導光ユニット
２９  投光用導光体
２９ａ，２９ｂ  投光用導光体の反射面
３０  受光用導光体
３０ａ，３０ｂ  受光用導光体の反射面
Ｌａ，Ｌｂ  光検出路（投光経路）
Ｌｃ，Ｌｄ  光検出路（受光経路）
【図１】
2006155808.tif 000003
【図２】
2006155808.tif 000004
【図３】
2006155808.tif 000005
【図４】
2006155808.tif 000006
【図５】
2006155808.tif 000007
【図６】
2006155808.tif 000008